(57)【特許請求の範囲】
【請求項１】
トイレ用便器の悪臭吸引装置であって、
便器の水位より上部に溜まる悪臭を吸引するため、該便器内部に吸気口（inlet）と、
該吸気口と配管で接続され、下水管にガスを放出できる排気口（outlet）と、
該便器内のガスを該吸気口から吸って該排気口から出すために、該吸気口と該排気口の間に配置された排気手段（suction means）と、
該吸気口と配管で接続され、該吸気口と該排気口との間に備えられた、バルブメンバ（valvemember）とバルブシート（valve seat）よりなる逆止弁（one way valve）であって、該バルブメンバは、重力によって、通常は該吸気口と該排気口とのガスの往来を遮断する位置（閉位置）に置かれ、該バルブメンバが該バルブシートと係合することで栓がされているが、該排気手段によって該バルブメンバの垂直方向から圧力差が生じる場合には、該バルブシートから該バルブメンバの係合が外れて（栓が解除され）一方向にのみガス移動ができる逆止弁を備え、
十分に密封された筺体（housing）が該吸気口と該排気口の間に配置され、該筺体内に該排気手段と該バルブメンバを備え、
軸方向に開位置と閉位置との間を、該バルブメンバがスライドして可動できるようにするためのガイドポスト（guide post）を備えた悪臭吸引装置。
【請求項２】
請求項１に係わり、
該排気手段が羽根車扇（impeller fan）である悪臭吸引装置。
【請求項３】
請求項２に係わり、
該羽根車扇の回転の中心を通って該吸気口からガス吸引される悪臭吸引装置。
【請求項４】
トイレ用便器の悪臭吸引装置であって、
便器の水位より上部に溜まる悪臭を吸引するため、該便器内部に吸気口と、
該吸気口と配管で接続され、下水管にガスを放出できる排気口と、
該便器内のガスを該吸気口から吸って該排気口から出すために、該吸気口と該排気口の間に配置された排気手段と、
該吸気口と配管で接続され、該吸気口と該排気口との間に備えられた、バルブメンバと
バルブシートよりなる逆止弁であって、該バルブメンバは、重力によって、通常は該吸気口と該排気口とのガスの往来を遮断する位置（閉位置）に置かれ、該バルブメンバが該バルブシートと係合することで栓がされているが、該排気手段によって該バルブメンバの垂直方向から圧力差が生じる場合には、該バルブシートから該バルブメンバの係合が外れて（栓が解除され）一方向にのみガス移動ができる逆止弁を備え、
十分に密封された筺体が該吸気口と該排気口の間に配置され、該筺体内に該排気手段と該バルブメンバを備え、
該筺体が該バルブメンバを（軸方向に）スライドして可動させるための円筒を備えたことを特徴とする悪臭吸引装置。
【請求項５】
請求項４に係わり、
該排気手段が羽根車扇である悪臭吸引装置。
【請求項６】
請求項５に係わり、
該羽根車扇の回転の中心を通って該吸気口からガス吸引される悪臭吸引装置。
【請求項７】
請求項１から６の何れか一項に係わり、
該バルブメンバが円盤（disc）である悪臭吸引装置。
【請求項８】
請求項４から６の何れか一項に係わり、
該排気口が前記円筒の横側から延伸（extend）している悪臭吸引装置。
【請求項９】
請求項１から８の何れか一項に係わり、
該排気手段と該バルブシートの間に配置されたプレナム（plenum）を備えた、悪臭吸引装置。
【請求項１０】
請求項１に係わり、
該逆止弁の上流区域（section of the housing upstream）と下流区域（section of the housing downstream）を分割するように、該筺体に対して垂直に配置した分割機構（divider）を備えた悪臭吸引装置。
【請求項１１】
請求項１０に係わり、
該バルブシートが、該分割機構の円形開口のリム（rim）として定義される悪臭吸引装置。
【請求項１２】
請求項１１に係わり、
該ガイドポストが、軸方向に、円形開口の中央を通って延伸している悪臭吸引装置。
【請求項１３】
請求項１、２、３、１０から１２の何れか一項に係わり、
該バルブメンバは椀状（bowl shaped）であって、該バルブシートと係合して、表面が封止に適した凸状（convex）であることを特徴とした悪臭吸引装置。
【請求項１４】
請求項１、２、３、１０から１３の何れか一項に係わり、
該バルブメンバが、開閉位置の間を動く際に、該バルブメンバがガイドポストを滑るよう係合するために、円筒形のガイドスリーブ（軸鞘：sleeve）を備えた悪臭吸引装置。
【請求項１５】
請求項２又は５に係わり、
該筺体が該羽根車扇の副覆（sub-casing）を備えた悪臭吸引装置。
【請求項１６】
請求項１５に係わり、
該副覆と該逆止弁間に配置されるプレナムを備える悪臭吸引装置。
【請求項１７】
請求項２又は５に係わり、
該筺体を貯水タンク（cistern）に据え付けることができる悪臭吸引装置。
【請求項１８】
請求項１７に係わり、
該吸気口が該筺体の開口部として定義され、該開口部を通って該排気手段が該貯水タンク内からガス吸引する悪臭吸引装置。
【請求項１９】
請求項１８に係わり、
ガスを該下水管に排出する目的で、該ガスがトイレのオーバーフローパイプ、該筺体の開口部、該筺体、排気口を通って、該便器からガス吸引するために、該羽根車扇の作用によって該貯水タンク内に負圧を生成する悪臭吸引装置。
【請求項２０】
請求項１から１９の何れか一項に係わり、
該排気手段が電気モータによって駆動される悪臭吸引装置。
【請求項２１】
請求項２０に係わり、
該電気モータが、直流１２Ｖで駆動する電気モータである悪臭吸引装置。
【請求項２２】
請求項１から２１の何れか一項に係わり、
さらに、該吸気口から延伸している吸気口導管を備え、該吸気口から該便器に流体を通すべく（fluidly）連結されている悪臭吸引装置。
【請求項２３】
請求項２２に係わり、
該吸気口導管が柔軟な（flexible）構造をもつ悪臭吸引装置。
【請求項２４】
請求項１から２３の何れか一項に係わり、
さらに、該排気口から延伸している排気口導管を備え、該排気口から該下水管に流体を通すべく連結されている悪臭吸引装置。
【請求項２５】
請求項２４に係わり、
該排気口導管が柔軟な構造をもつ悪臭吸引装置。
【請求項２６】
請求項１から２５の何れか一項に係わり、
該排気手段が、略２Ｌ／ｓ以上のガス流速を生成することのできる悪臭吸引装置。
【請求項２７】
請求項２６に係わり、
該排気手段が、略３Ｌ／ｓ以上のガス流速を生成することのできる悪臭吸引装置。
【請求項２８】
請求項２７に係わり、
該排気手段が、約３．３Ｌ／ｓ以上のガス流速を生成することのできる悪臭吸引装置。
【請求項２９】
悪臭吸引装置向けの逆止弁に係わり、該逆止弁が、吸気口、排気口、バルブシート（台座）、重力によって、通常は吸気口と排気口とのガスの往来を遮断する閉位置に置かれて、該バルブシートと係合することで栓がされるバルブメンバを備え、
該バルブメンバに垂直に圧力差が生じると、それに反応して、バルブを通ってガスが流れるように、バルブメンバの係合が解除される逆止弁であって、
さらに、該吸気口と該排気口の間に配置され十分に密封された筺体に、該バルブメンバが備えられ、該バルブメンバを（軸方向に）スライドして可動させるための円筒を備えた、逆止弁。
【請求項３０】
請求項２９に係わり、
前記円筒の横から該排気口が延伸している逆止弁。
【請求項３１】
請求項２９または３０に係わり、
該バルブメンバが円盤である逆止弁。
【請求項３２】
悪臭吸引装置向けの逆止弁に係わり、該逆止弁が、吸気口、排気口、バルブシート（台座）、重力によって、通常は吸気口と排気口とのガスの往来を遮断する閉位置に置かれて、該バルブシートと係合することで栓がされるバルブメンバを備え、
該バルブメンバに垂直に圧力差が生じると、それに反応して、バルブを通ってガスが流れるように、バルブメンバの係合が解除される逆止弁であって、
さらに、該吸気口と該排気口の間に配置され十分に密封された筺体に、該バルブメンバが備えられ、該バルブメンバが開位置と閉位置との間を、軸方向にスライドして可動できるようにするためのガイドポストを備える逆止弁。
【請求項３３】
請求項３２に係わり、
該逆止弁の上流区域と下流区域を分割するように、該筺体と垂直に設置される分割機構
を具備する逆止弁。
【請求項３４】
請求項３３に係わり、
該分割機構の円形開口のリムとして定義される該バルブシートを備える逆止弁。
【請求項３５】
請求項３４に係わり、
該ガイドポストが、軸方向に、円形開口の中央を通って延伸している逆止弁。
【請求項３６】
請求項３２から３５の何れか一項に係わり、
該バルブメンバが椀状（bowl shaped）であって、該バルブシートと係合して、表面が封止に適した凸状（convex）である逆止弁。
【請求項３７】
請求項３２から３６の何れか一項に係わり、
該バルブメンバは、開閉位置との間を動く際、該バルブメンバを導く該ガイドポストを滑るようにして係合できるように、円筒形のガイドスリーブ（軸鞘：sleeve）を備えた逆止弁。
【発明の詳細な説明】
【技術分野】
【０００１】
本発明はトイレ用便器の悪臭吸引装置−特に、悪臭の逆流を防ぐ逆止弁を持つ悪臭吸引装置に関するものである。
本装置は、主に家庭用の固定式のトイレ向けに開発されたもので、この明細書の記述もこの点にある。しかし、この発明は当該用途に限定されるものでなく、他の様々な−例えば、船、移動式建築物、キャンピングカー（canpervan）、ＲＶ車、及び移動式トイレ等にも応用できる。
【背景技術】
【０００２】
壁に装着された排気扇や天井を通して、トイレルームからガス排出する方法が知られている。しかし、このタイプの排気システムには、排気扇に向かうように、便器からの“悪臭”がトイレルームに入り込んでしまうようなデメリットがある。従って、（前の利用者に）引き続いてトイレを使う際には、思わぬ悪臭に遭遇してしまうことがある。トイレが住居や台所と隣接している時には、この状況は実に腹立たしいものである。
【０００３】
ガスを直接トイレ内部から出す換気装置が知られている。そのような装置は、一般に、排気装置と結合して、便器内部とガスが吸引できる位置に吸気口を持つ。この排気装置は、トイレルームから離れた位置にある排気口と配管を通して結びついている。次のトイレの利用者が、あるいは、トイレルームの近くにいる誰かが悪臭で不快な思いをしないように、悪臭を直接取り除くためである。
【発明の開示】
【発明が解決しようとする課題】
【０００４】
悪臭の吸引装置は、通常、ダクトを通して建物の外に排出する。ダクトは壁の内部に（石造されるか壁の内部に埋め込まれたパーティションを使い）隠すようにして据え付けられるのが普通である。しかし、そのような構成は非常に難しく、特に、ダクトを適当な排出位置に向け施工することは（建築するも改修するも）非常に費用がかかるため、唯一、バスルームには使える程度である。さらには、多くの有名なシステムに使われている240ボルト交流モータ扇では、十分な能力を得ることが難しいこともある。
【０００５】
これらの問題を軽減するためには、水洗トイレの水流によって、下水管に直接悪臭を導くことである（例えば、ウォータートラップ）。しかし、管轄区域ごとに、その配管条例規則に合わせるには、このようなシステムでは（排気装置と下水管の間に）承認済の“逆止弁”を備える必要がある。
【０００６】
この発明の目的は、特に（停電なので）電源が止まった場合でも、下水管から便器への悪臭の逆流を防ぐため、二重安定装置（fail safe）と逆止弁（one- way valve）を備えた、簡単かつ高価でない、悪臭吸引装置を提供することにある。
【課題を解決するための手段】
【０００７】
本発明の第一の様相（側面）は、便器向け悪臭吸引装置を提供することにある。この悪臭吸引装置は、
・便器の水位より上部に溜まる悪臭を吸引するため、便器内部に吸気口（inlet）を備える。
・上記吸気口と配管で接続されている排気口は下水管にガスを放出できる。
・吸気口と排気口との間に備えられた“逆止弁”は、バルブメンバとバルブシートよりなる。バルブメンバは、重力によって、通常は吸気口と排気口とのガスの往来を遮断する閉位置に置かれ、バルブシートと係合することで栓がされている。また、十分に気密性のある筺体が吸気口と排気口の中間に置かれ、該筺体には排気手段とバルブメンバを備えたもので、該バルブメンバが軸方向に（開位置と閉位置との間を）滑るガイドポストを持つものである。
・排気手段によってバルブメンバに垂直に圧力差が生じる場合、バルブシートからバルブメンバの係合が外れ、その結果ガスが流れる。
【０００８】
バルブメンバは重力によって閉位置に偏向して置かれているので、排気手段による流圧が生じない状態（例えば、電源が排気手段に供給されなくなった場合等）では、それ自体の重さで、バルブシートと係合して栓がされている状態になる。
【０００９】
排気手段は羽根車扇（impellerfan）が適している。より言えば、吸気口からのガスは羽根車扇の中心を通って吸引されることが好ましい。
【００１０】
また、十分に気密性のある筺体が吸気口と排気口の中間に置かれ、筺体には排気手段とバルブメンバを備え、該バルブメンバが（軸方向に）スライドするような円筒を備えた筺体であってもよい。理想的な形としては、排気口は円筒の横から延伸することが好ましい。
該バルブメンバには円盤が適している。該排気手段と該バルブシートの間にプレナム（plenum）を配置することが好ましい。
【００１１】
他の例として、さらに、逆止弁の上流区域と下流区域を分割する分割機構を備えるものもある。理想形としては、分割機構の円形の開口リムとして定義された該バルブシートを備える。さらに好ましくは（軸方向に）円盤の中央を通るガイドポストを持つ。該バルブメンバは椀状（bowl shaped）が良く、バルブシートと係合して、表面が封止に適した凸状（convex）であることが好ましい。さらに、バルブメンバは、開閉位置との間を動く際（バルブメンバを導くガイドポストを滑るように）係合できるように、円筒形のガイドスリーブ（軸鞘：sleeve）を備える。より好ましくは、該筺体は羽根車扇の副覆（sub-casing）を持つ。この場合、プレナムは該副覆と逆止弁の間が適している。
【００１２】
該筺体はトイレの水洗タンク中に据え付けされるのが好ましい。該吸気口は該羽根車扇が取り出すガスが通る筺体の開口部として定義されることが好ましい。羽根車の作用は、トイレのオーバーフローパイプを通り、筺体の開口部を通り、下水管に流すための排気口を通って、便器からカスを抜き出す、負の圧力を生成することにある。
【００１３】
該排気手段は電気モータによって作動させる。これには１２ボルト直流モータが適している。
【００１４】
吸気口導管は吸気口から便器へと流体を通すべく（柔軟性を持って）結合している。排気口導管は排気口から下水管へと同様に結合している。この例では、吸気口導管、あるいは、排気口導管は柔軟性を有している。
【００１５】
排気手段においては、ガス流速は約2L/s以上、より好ましくは約3L/s以上を生成する。理想的には、約3.3L/s以上が良いだろう。
【００１６】
第二の様相（側面）は、悪臭吸引装置の“逆止弁”についてである。該逆止弁は、
・吸気口
・排気口
・バルブシート（台座）
・バルブメンバ（円盤）
を備える。
該吸気口と該排気口との間に備えられた逆止弁は、該バルブシートと、（重力によって通常は閉位置にあって）吸気口と排気口の気体の移動を遮断するため、該バルブシートに係合して栓を形成するバルブメンバよりなる。排気手段によって流圧が生じた場合、該バルブシートから該バルブメンバの係合が解除され、その結果、ガスが下水管に流れる。
【発明を実施するための最良の形態】
【００１７】
以下、本発明を実施するための最良の形態について、図面を参照しながら具体的に説明する。
【実施例１】
【００１８】
便器２と貯水タンク４を持つトイレのための悪臭吸引装置１の第一の実施例を図１〜４に示す。悪臭吸引装置１は吸気口３と排気口５を備える。該吸気口３は、該便器２内部で水面上部に溜まっているガスを吸引する。該排気口５は該吸気口３と配管で連結されている。また、該排気口５は該下水管６にガスを放出する。
【００１９】
排気手段−羽根車７の形のもの（以下、羽根車扇）−は、該便器２内のガスを該吸気口３から該排気口５に吸引するため、該吸気口３と該排気口５の間に配置する。
【００２０】
該下水管６から該便器２に悪臭の逆流を防ぐために、逆止弁８を該吸気口３と該排気口５の中間に配置する。該逆止弁８は、バルブメンバ（円盤）９とバルブシート（台座）１０よりなる。該バルブメンバ（円盤）９は、通常は（何も力が働かない状態では）重力によって閉位置にあり、該バルブシート（台座）１０に該バルブメンバ（円盤）９が係合して栓を形成することで、該吸気口３と該排気口５の流体の移動を遮断している。羽根車扇７によって流圧が生じると該バルブシート（台座）１０から該バルブメンバ９の係合が解除され、それ故に、ガスが下水管に流れる。
【００２１】
十分に密封された筺体１１は該吸気口３と該排気口５の間に配置される。該筺体１１は貯水タンク４の中に据え付けられる。この中に該羽根車扇７や該バルブメンバ（円盤）９が配置される。さらに、該筺体１１は、該バルブメンバ（円盤）９を（軸方向に）スライドして可動させるための円筒１２を備える。該排気口５は、該円筒１２の横から延伸している。プレナム１３は、該羽根車扇７と該バルブシート（台座）１０の間に配置する。
【００２２】
吸気口導管−オーバーフローパイプ１４の形のもの−は、該吸気口３から該便器２に、貯水タンク４を通して、流体を通すべく（fluidly）連結されている。柔軟性のある（flexible）排気口導管１５は該排気口５から該下水管６に流体を通すべく連結されている。
【００２３】
羽根車扇７は（図示はしていないが）１２Ｖモータで作動する。この利点は、設置に電気工事の有資格者が不要なことである。該モータも該貯水タンク４内に据え付けられる。また、該モータは蓄電池か太陽電池でも動作できる。さらに、ユーザによるマニュアル操作、あるいは接近センサを用いた自動操作によって、連続運転可能である。該羽根車扇は、約 3.3 L/s の流速を生成できる。
【００２４】
使用中−該羽根車扇７が動作している時−該貯水タンク４内には負圧が生成される。この負圧によって、該便器２から、該オーバーフローパイプ１４と該貯水タンク４を通り、該貯水タンク４から該吸気口３へ、該羽根車扇の回転の中心を通って、ガスを吸引する。このポイントから、該羽根車扇７によって生成された圧力は、該プレナム１３を通してガスを押し出し、該バルブシート（台座）１０との係合を外すように、該バルブメンバ（円盤）９を押し上げる。ガスは該排気口５と該排気口導管１５を通って該下水管６に排出される。
【００２５】
該バルブメンバ（円盤）９は重力によって閉位置に偏向して置かれているので、モータへの電源供給が停止した場合や、羽根車扇が故障した場合でも、それ自体の重さで、バルブシート（台座）１０と係合して、栓がされている状態になる。これは、電源供給が停止した場合であっても、該下水管からの悪臭が該悪臭吸引装置１を通して該便器２に逆流しないことを保障する、二重安定機構を提供するものである。さらに、「該バルブメンバ（円盤）９を閉位置に偏向させる」という機械的な手段がなくとも、よく知られた吸引装置の逆止弁よりは、該逆止弁８は故障や（例えば、酸化や摩耗が原因の）動作停止しない傾向がある。この逆止弁８とバルブメンバ９の配置により、簡単かつ（既存のものと比べ）高価でない悪臭吸引装置１が実現できる。この装置は、該下水管に排出でき、かつ、既存のあるいは新しいトイレに簡単に据え付けられる。
【実施例２】
【００２６】
便器２と貯水タンク４を持つトイレのための悪臭吸引装置の第二の実施例を図５〜８に示す。悪臭吸引装置５０は吸気口５３と排気口５５を備える。該吸気口５３は、該便器２内部で水面上部に溜まっているガスを吸引する。該排気口５５は吸気口５３と管で連結されている。該排気口５５は、また、該下水管６にガスを放出する。
【００２７】
排気手段−（図示はしていないが）羽根車の形のもの−は、該便器２内のガスを該吸気口５３から該排気口５５に吸引するため、該吸気口５３と該排気口５５の間に配置する。
【００２８】
該下水管６から該便器２への悪臭の逆流を防ぐために、逆止弁５８を該吸気口５３と該排気口５５の間に配置する。該逆止弁５８は、該バルブメンバ（椀状）５９と該バルブシート（台座）６０よりなる。該バルブメンバ（椀状）５９は（通常は）重力によって閉位置に偏向させてあり、該バルブシート（台座）６０に該バルブメンバ（椀状）５９が係合して栓を形成することで、該吸気口５３と該排気口５５の流体移動を遮断している。（図示していないが）羽根車扇によって流圧が生じると該バルブシート（台座）６０から該バルブメンバ５９の係合が解除され、それ故に、ガスが下水管に流れる。
【００２９】
十分に密封された筺体６１は該吸気口５３と該排気口５５の間に配置される。該筺体６１は該貯水タンク４の中に据え付けられる。この中に（図示されていない）羽根車扇や該バルブメンバ（椀状）５９が配置される。該筺体６１は、（図示されていないが）羽根車扇の副覆（sub-casing）６３や、該副覆（sub-casing）６３と該逆止弁５８の間に配置されるプレナム６５を備える。
【００３０】
さらに、該筺体６１は、該バルブメンバ（椀状）５９が軸方向に（図７での）閉位置と（図８での）開位置との間を滑るように、ガイドポストを備える。
【００３１】
分割機構６９は、該逆止弁の上流区域と下流区域を分割するように、筺体６１に垂直となるよう設置される。該バルブシート（台座）６０は、該分割機構６９の円形開口７１のリムとして定義される。ガイドポスト６７は、軸方向に、円形の開口７１の中央を通って延伸する。該バルブメンバ（椀状）５９は、開位置と閉位置の間を動く際に、該バルブメンバ（椀状）５９を導くガイドポストを滑るようにして（バルブメンバとバルブシートが）係合できるようにするため、円筒形のガイドスリーブ（軸鞘：sleeve）を備える。
【００３２】
吸気口導管−オーバーフローパイプ１４の形のもの−は、該吸気口５３から該便器２に、該貯水タンク４を通して、流体を通すべく（fluidly）連結されている。柔軟性のある（flexible）排気口導管１５は該排気口５５から該下水管６に流体を通すべく（fluidly）連結されている。
【００３３】
羽根車扇は（図示はしていないが）実施例１の羽根車扇７と同じ特徴のものである。
【００３４】
使用中、（図示はしていない）羽根車扇が動作している時、該貯水タンク４内には負圧が生成される。この負圧によって、該便器２から、オーバーフローパイプ１４と該貯水タンク４を通り、該貯水タンク４から該吸気口５３へ、羽根車扇の回転の中心を通って、ガスを吸引する。このポイントから、（図示はしていない）羽根車扇によって生成された圧力は、プレナム６５を通してガスを押し出して、該バルブシート（台座）６０との係合を外すように該バルブメンバ（椀状）５９を押し上げる。ガスは該排気口５５と（図示はしていない）該排気口導管を通って（図示はしていない）該下水管に排出される。悪臭吸引装置５０内における一連の空気の流れを“矢印Ａ”によって示す。
【００３５】
該バルブメンバ（椀状）５９は重力によって閉位置に偏向して置かれるので、モータへの電源供給が停止した場合や、（図示はしていない）羽根車扇が故障した場合でも、それ自体の重さで、該バルブシート（台座）６０と係合して栓がされている状態になる。これは、電源供給が停止した場合であっても、下水管からの悪臭が該悪臭吸引装置１を通して便器２に逆流しないことを保障する、二重安定機構を提供するものである。さらに、該バルブメンバ（椀状）５９が閉位置に偏向させるという機械的な手段がなくとも、よく知られた吸引装置の逆止弁より、該逆止弁５８は故障や（例えば、酸化や摩耗が原因の）動作停止しない傾向がある。この逆止弁５８とバルブメンバ５９の配置により、簡単かつ（既存のものと比べて）高価でない該悪臭吸引装置５０が実現できる。この装置は、該下水管に排出でき、かつ、既存あるいは新しいトイレに簡単に据え付けられる。
【実施例３】
【００３６】
便器２と貯水タンク４を持つトイレのための悪臭吸引装置５０の第三の実施例を図９〜１０に示す。第三の実施例は、第二の実施例と構造・機能が類似していることもあって、特徴の一致する（実施例二の）数符号は使用する。しかし、第三の実施例は、コンパクトなデザインに一層なっている。そして、さらに、実施例２と比較して、より簡素化された筺体６１内におけるガスフローパス（例えば、矢印Ａで示したようなガスの流れ）を実現している。付け加えれば、第三の実施例では、バルブメンバ（椀状）５９とバルブシート（台座）６０の間に（より気密性を高めるために）挿入する溝付封止部材８０を具備している。
【００３７】
悪臭吸引装置１、５０の優れた点は、逆止弁８、５８が“エアーアドミッタンスバルブ（ＡＡＶ）”として機能することである。これは、トイレを流して（flushing）いる際のサイフォン（siphonage）を防ぐために、該逆止弁８、５８の上流で負圧が生成された場合、空気が該下水管６に入ることを許容する構造となる。この悪臭吸引装置１、５０の優れた点は、据え付けることが高価で難しい、外付の下水管が不要であるという点にある。しかも、従来のＡＡＶとは異なり、該悪臭吸引装置１、５０はトイレの貯水タンク内に据え付けられる。それゆえに、限定された空間であるトイレの利用を容易にし、よく知られた多くのＡＡＶでは必要となる特別な筺体に対する要求を軽減する。
【図面の簡単な説明】
【００３８】
【図１】本発明の悪臭吸引装置の第一の実施例の遠近図
【図２】図１の悪臭吸引装置の主要部の拡大・分解図
【図３】図１の悪臭吸引装置をトイレの装着した場合の正面方向の遠近図
【図４】図１の悪臭吸引装置をトイレの装着した場合の脊面方向の遠近図
【図５】本発明の悪臭吸引装置の第二の実施例の遠近図
【図６】図５の悪臭吸引装置の主要部の分解図
【図７】図５の悪臭吸引装置の一方向バルブが閉位置にある場合の側面図
【図８】図５の悪臭吸引装置の一方向バルブが開位置にある場合の側面図
【図９】本発明の悪臭吸引装置の第三の実施例の分解図
【図１０】図９の悪臭吸引装置の一方向バルブが閉位置にある場合の側面図
【図１】
0005757377.tif 000002
【図２】
0005757377.tif 000003
【図３】
0005757377.tif 000004
【図４】
0005757377.tif 000005
【図５】
0005757377.tif 000006
【図６】
0005757377.tif 000007
【図７】
0005757377.tif 000008
【図８】
0005757377.tif 000009
【図９】
0005757377.tif 000010
【図１０】
0005757377.tif 000011